(57)【要約】【課題】  回転軸と、回転軸により駆動される圧縮機構と、回転軸と圧縮機構とを収容するハウジングと、内周部が回転軸の外周面に摺接し外周部がハウジングの回転軸貫通穴周壁に当接するリップシール部材を有し回転軸のハウジング貫通部を密封する軸封装置とを備える冷媒ガス圧縮機であって、軸封装置のリップシール部材が耐磨耗性、耐熱性、耐冷媒透過性の全てに優れる圧縮機を提供する。【解決手段】  回転軸と、回転軸により駆動される圧縮機構と、回転軸と圧縮機構とを収容するハウジングと、内周部が回転軸の外周面に摺接し外周部がハウジングの回転軸貫通穴周壁に当接するリップシール部材を有し回転軸のハウジング貫通部を密封する軸封装置とを備え、軸封装置のリップシール部材は耐磨耗性、耐熱性に優れる内側層と、耐冷媒透過性に優れる外側層とを有している。【選択図】  図２
2006242217.tif 000002
【特許請求の範囲】
【請求項１】
回転軸と、回転軸により駆動される圧縮機構と、回転軸と圧縮機構とを収容するハウジングと、内周部が回転軸の外周面に摺接し外周部がハウジングの回転軸貫通穴周壁に当接する筒状のリップシール部材を有し回転軸のハウジング貫通部を密封する軸封装置とを備え、軸封装置のリップシール部材は耐磨耗性、耐熱性に優れる内側層と、耐冷媒透過性に優れる外側層とを有していることを特徴とする冷媒ガス圧縮機。
【請求項２】
リップシール部材は水素化ニトリルゴムを主体とする素材により形成されていることを特徴とする請求項１に記載の冷媒ガス圧縮機。
【請求項３】
耐磨耗性、耐熱性に優れる内側層と、耐冷媒透過性に優れる外側層とを有する筒状のリップシール部材を備えることを特徴とする冷媒ガス圧縮機の軸封装置。
【請求項４】
リップシール部材は水素化ニトリルゴムを主体とする素材により形成されていることを特徴とする請求項３に記載の冷媒ガス圧縮機の軸封装置。
【発明の詳細な説明】
【技術分野】
【０００１】
本発明は、冷媒ガス圧縮機に関するものである。
【背景技術】
【０００２】
回転軸と、回転軸により駆動される圧縮機構と、回転軸と圧縮機構とを収容するハウジングと、内周部が回転軸の外周面に摺接し外周部がハウジングの回転軸貫通穴周壁に当接する筒状のリップシール部材を有し回転軸のハウジング貫通部を密封する軸封装置とを備える冷媒ガス圧縮機が特許文献１等に開示されている。
【特許文献１】特開２００３−２４６９７６
【発明の開示】
【発明が解決しようとする課題】
【０００３】
回転軸の外周面に摺接するリップシール部材の内周部には優れた耐磨耗性と優れた耐熱性とが求められ、ハウジングの回転軸貫通穴周壁に当接するリップシール部材の外周部には優れた耐冷媒透過性が求められる。
従来の冷媒ガス圧縮機においては、軸封装置のリップシール部材は均質素材で形成されていたので、優れた耐磨耗性、優れた耐熱性、優れた耐冷媒透過性を同時に付与するのが困難であった。
本発明は上記問題に鑑みてなされたものであり、回転軸と、回転軸により駆動される圧縮機構と、回転軸と圧縮機構とを収容するハウジングと、内周部が回転軸の外周面に摺接し外周部がハウジングの回転軸貫通穴周壁に当接する筒状のリップシール部材を有し回転軸のハウジング貫通部を密封する軸封装置とを備える冷媒ガス圧縮機であって、軸封装置のリップシール部材が耐磨耗性、耐熱性、耐冷媒透過性の全てに優れる圧縮機を提供することを目的とする。
【課題を解決するための手段】
【０００４】
上記課題を解決するために、本発明においては、回転軸と、回転軸により駆動される圧縮機構と、回転軸と圧縮機構とを収容するハウジングと、内周部が回転軸の外周面に摺接し外周部がハウジングの回転軸貫通穴周壁に当接する筒状のリップシール部材を有し回転軸のハウジング貫通部を密封する軸封装置とを備え、軸封装置のリップシール部材は耐磨耗性、耐熱性に優れる内側層と、耐冷媒透過性に優れる外側層とを有していることを特徴とする冷媒ガス圧縮機を提供する。
本発明に係る冷媒ガス圧縮機においては、耐磨耗性と耐熱性とが求められるリップシール部材の内周部を耐磨耗性、耐熱性に優れる内側層により形成し、耐冷媒透過性が求められる外周部を耐冷媒透過性に優れる外側層により形成したので、本発明に係る圧縮機が備える軸封装置のリップシール部材は耐磨耗性、耐熱性、耐冷媒透過性の全てに優れる。
【０００５】
本発明の好ましい態様においては、リップシール部材は水素化ニトリルゴムを主体とする素材により形成されている。
水素化ニトリルゴムは耐磨耗性、耐熱性素材である。内側層と外側層とで添加剤の配合を変えることにより、内側層に優れた耐磨耗性、耐熱性を付与し、外側層に優れた耐冷媒透過性を付与することができる。
【０００６】
本発明においては、耐磨耗性、耐熱性に優れる内側層と、耐冷媒透過性に優れる外側層とを有する筒状のリップシール部材を備えることを特徴とする冷媒ガス圧縮機の軸封装置を提供する。
本発明に係る軸封装置を冷媒ガス圧縮機に使用することにより、圧縮機ハウジングの回転軸貫通部からの冷媒の漏洩を、長期に亙って防止することができる。
【発明の効果】
【０００７】
本発明に係る圧縮機においては、耐磨耗性と耐熱性とが求められるリップシール部材の内周部を耐磨耗性、耐熱性に優れる内側層により形成し、耐冷媒透過性が求められる外周部を耐冷媒透過性に優れる外側層により形成したので、本発明に係る冷媒ガス圧縮機が備える軸封装置のリップシール部材は耐磨耗性、耐熱性、耐冷媒透過性の全てに優れる。
【発明を実施するための最良の形態】
【０００８】
本発明の実施例に係る斜板式冷媒ガス圧縮機を説明する。
【実施例１】
【０００９】
図１に示すように、冷媒ガスを吸入圧縮する可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。
ピストン１５は、シリンダブロック１６に形成されたボア１６ａに挿入されている。
回転軸１０、ローター１１、斜板１２を収容するクランク室１７を形成する有底円筒状のフロントハウジング１８が配設されている。回転軸１０は、フロントハウジング１８を貫通して外部へ延びている。
【００１０】
回転軸１０のフロントハウジング貫通部を密封する軸封部材１９が配設されている。図２に示すように、軸封部材１９は、リップシール部材１９ａ、１９ｂと、リップシール部材１９ａ、１９ｂを保持固定する保持金具１９ｃ、１９ｄとを有している。
クランク室１７寄りに配設されたリップシール部材１９ａは、平行部と皿バネ形状部とを有する筒状の、耐磨耗性、耐熱性素材である水素化ニトリルゴム（ＨＮＢＲ）を主原料とするゴム成形体である。皿バネ形状部の内周部の一端は、回転軸１０の外周面に摺接している。平行部の外周部は、フロントハウジング１８の回転軸貫通穴の周壁に当接している。リップシール部材１９ａの皿バネ形状部の他端は保持金具１９ｃ、１９ｄにより保持されおり、リップシール部材１９ａ平行部は保持金具１９ｃとフロントハウジング１８とにより保持されている。
リップシール部材１９ａは、回転軸１０の外周部に摺接する皿バネ形状部の内周部の一端を含む内側層１９ａ′と、フロントハウジング１８の回転軸貫通穴の周壁に当接する平行部の外周部を含む外側層１９ａ″の二層構造を有している。回転軸１０の外周部に摺接する皿バネ形状部の内周部の一端を含み耐磨耗性、耐熱性に優れることが求められる内側層１９ａ′の水素化ニトリルゴムには、耐磨耗性、耐熱材を強化する添加剤が混入されている。フロントハウジング１８の回転軸貫通穴の周壁に当接する平行部の外周部を含み耐冷媒透過性に優れることが求められる外側層１９ａ″の水素化ニトリルゴムには、耐冷媒透過性を付与する添加剤が混入されている。内側層１９ａ′と外側層１９ａ″とは互いに接着されて一体化されている。
回転軸１０の端部寄りに配設されたリップシール部材１９ｂは、皿バネ形状を有するポリテトラフルオロエチレン（ＰＴＦＥ）等から成る樹脂成形体である。リップシール部材１９ｂの一端は回転軸１０の周側面に摺接し、他端は保持金具１９ｃ、１９ｄにより保持されている。
リップシール部材１９ａの皿バネ形状部とリップシール部材１９ｂとは、回転軸１０のフロントハウジング貫通部へ組付けられる前は、図２に二点鎖線で示すように径方向内方へ延在しているが、組み付け後は、回転軸１０の周側面に押し付けられて前記周側面に摺接し、回転軸１０のフロントハウジング貫通部をシールする。
リップシール部材１９ａの平行部の外周部はフロントハウジング１８の回転軸貫通穴の周壁に当接して、回転軸１０のフロントハウジング貫通部をシールする。
【００１１】
フロントハウジング１８に取りつけられた電磁クラッチ２０を介して図示しない外部駆動源から回転軸１０の先端部に回転動力が伝達される。
吸入室と吐出室とを形成するシリンダヘッド２１が配設されている。
シリンダブロック１６とシリンダヘッド２１との間にボア１６ａに連通する吸入穴と吐出穴とが形成された弁板２２が配設されている。
【００１２】
フロントハウジング１８、シリンダブロック１６、弁板２２、シリンダヘッド２１は、ボルト２３により一体に組み付けられている。フロントハウジング１８とシリンダブロック１６との接合部にガスケット２４が介挿され、シリンダブロック１６とシリンダヘッド２１との接合部、より具体的には弁板２２とシリンダブロック１６、シリンダヘッド２１との接合部には、ガスケット２５、２６が介挿され、該部をシールしている。回転軸１０はフロントハウジング１８、シリンダブロック１６により回転可能に支持されている。
【００１３】
可変容量型斜板式圧縮機Ａにおいては、図示しない外部駆動源の回転動力が電磁クラッチ２０を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２１に形成された吸入ポートと吸入室と吸入穴と図示しない吸入弁とを介してボア１６ａへ吸入され、ボア１６ａ内で圧縮され、吐出穴と図示しない吐出弁と吐出室とシリンダヘッド２１に形成された吐出ポートとを介して外部冷凍回路へ流出する。
軸封装置１９、ガスケット２４〜２６により、可変容量型斜板式圧縮機Ａからの冷媒ガスの漏洩が防止されている。
【００１４】
可変容量型斜板式圧縮機Ａにおいては、耐磨耗性と耐熱性とが求められるリップシール部材１９ａの内周部を耐磨耗性、耐熱性に優れる内側層１９ａ′により形成し、耐冷媒透過性が求められる外周部を耐冷媒透過性に優れる外側層１９ａ″により形成したので、可変容量型斜板式圧縮機Ａが備える軸封装置のリップシール部材１９ａは耐磨耗性、耐熱性、耐冷媒透過性の全てに優れる。
水素化ニトリルゴムは耐磨耗性、耐熱性素材である。内側層１９ａ′と外側層１９ａ″とで添加剤の配合を変えることにより、内側層１９ａ′に優れた耐磨耗性、耐熱性を付与し、外側層１９ａ″に優れた耐冷媒透過性を付与することができる。
軸封装置１９を冷媒ガス圧縮機に使用することにより、圧縮機ハウジングの回転軸貫通部からの冷媒ガスの漏洩を、長期に亙って防止することができる。
内側層１９ａ′と外側層１９ａ″との間に中間層を挟んでも良い。
【産業上の利用可能性】
【００１５】
本発明は斜板式圧縮機のみならず、冷媒ガスを吸引圧縮する全ての形式の圧縮機に広く利用可能である。
【図面の簡単な説明】
【００１６】
【図１】本発明の実施例に係る可変容量型斜板式圧縮機の断面図である。
【図２】本発明の実施例に係る可変容量型斜板式圧縮機の部分断面図である。
【符号の説明】
【００１７】
Ａ  可変容量型斜板式圧縮機
１０  回転軸
１１  ローター
１２  斜板
１３  リンク機構
１４  シュー
１５  ピストン
１８  フロントハウジング
１９  軸封部材
１９ａ、１９ｂ  リップシール部材
１９ａ′  内側層
１９ａ″  外側層
【図１】
2006242217.tif 000003
【図２】
2006242217.tif 000004